(57)【要約】      （修正有）【課題】近年の住宅の様式や間取りが、従来の神棚を祭祀するようには施工されていない住宅であっても、簡易に、かつ、居住性に制約を生ぜしめない形態として設置できる壁掛けモダン神棚を提供する。【解決手段】左右の側板１１，１１と、側板１１の上部に掛け渡された上板１２と、側板１１の背部に掛け渡された背板１３と、を備え、側板１１には、左右の側板１１を貫通して破魔矢を通すための貫通孔１１ａが形成されており、上板１２の上面には、幅方向に凹溝が形成されており、背板１３の裏面には、壁に固定された取付け金具に取り付けるための受け金具が設けられており、受け金具を、壁面に固定された取付け金具に着設又は離脱することによって、棚本体を壁面に着脱自在にするようにしたことを特徴とする。【選択図】図１
0003199800.tif 000002
【実用新案登録請求の範囲】
【請求項１】
左右の側板１１，１１と、
前記側板１１の上部に掛け渡された上板１２と、
前記側板１１の背部に掛け渡された背板１３と、を備え、
前記側板１１には、左右の側板１１を貫通して破魔矢Ｈを通すための貫通孔１１ａが形成されており、
前記上板１２の上面には、幅方向に凹溝１２ａが形成されており、
前記背板１３の裏面には、壁に固定された取付け金具Ｋに取り付けるための受け金具１４が設けられており、
前記受け金具１４を、壁面に固定された取付け金具Ｋに着設又は離脱することによって、
棚本体を壁面に着脱自在にするようにしたことを特徴とする壁掛けモダン神棚。
【請求項２】
前記受け金具１４は、壁に取り付けた取付け金具Ｋのフック状に形成した挿入部Ｋ１に挿入する矩形状に形成された受け入れ部１４ａと、受け入れ部１４ａの左右両側にあって、
背板１３に固定するための固定部１４ｂ,１４ｂとで構成され、
壁掛けモダン神棚１０を壁面に取付ける場合は、
壁面に取り付けた取付け金具Ｋのフック状の挿入部Ｋ１に、
背板１３に取付けた受け金具１４の受け入れ部１４ａを、上から挿入して、
受け金具１４と取付け金具Ｋとを一体化させることにより、
壁掛けモダン神棚１０を壁面に着設し、
壁掛けモダン神棚１０を壁面から離脱する場合は、
受け金具１４の受け入れ部１４ａを上方に持ち上げることにより、
壁面に取り付けた取付け金具Ｋの挿入部Ｋ１から抜くようにしたことを特徴とする請求項１に記載の壁掛けモダン神棚。
【請求項３】
前記側板１１に複数の貫通孔１１ａが形成されていることを特徴とする請求項１又は２に記載の壁掛けモダン神棚。
【考案の詳細な説明】
【技術分野】
【０００１】
本考案は、壁面に着脱自在にするようにした壁掛けモダン神棚に関する。
より詳しくは、壁面に着脱自在に掛け止められる奥行の浅い上板を有する壁掛けモダン神棚に関する。
【背景技術】
【０００２】
従来、神棚を室内に設置する場合、壁面の上部に配位して天井に吊下げ支持させているものがある。
すなわち、従来の神棚はその容積や重量の大きなものが多く、設置するため取付け工事などの施工が必要とされ、神棚を祭祀が面倒であった。
さらに、近年の住宅の様式や間取りが、従来の神棚を祭祀するようには施工されておらず、従来のような容積や重量の神棚では、マンション等の部屋の壁面への取り付けが困難であった。
また、近時、部屋の壁面の材質が石膏ボードの上に壁紙を接着材で被覆した施工例もあり、従来方式の神棚の取り付けが困難になっている。
このような従来方式の神棚として以下の特許文献がある。
【先行技術文献】
【特許文献】
【０００３】
【特許文献１】実用新案登録第３０５９０１４号公報
【考案の概要】
【考案が解決しようとする課題】
【０００４】
本考案は、神棚を祭祀する際に生じている上述の問題を解消せしめるためになされたものであって、近年の住宅の様式や間取りが、従来の神棚を祭祀するようには施工されていない住宅であっても、簡易に、かつ、居住性に制約を生ぜしめない形態として設置できる壁掛けモダン神棚を提供することを目的とする。
【課題を解決するための手段】
【０００５】
（１）本考案の壁掛けモダン神棚は、左右の側板１１，１１と、
前記側板１１の上部に掛け渡された上板１２と、
前記側板１１の背部に掛け渡された背板１３と、を備え、
前記側板１１には、左右の側板１１を貫通して破魔矢Ｈを通すための貫通孔１１ａが形成されており、
前記上板１２の上面には、幅方向に凹溝１２ａが形成されており、
前記背板１３の裏面には、壁に固定された取付け金具Ｋに取り付けるための受け金具１４が設けられており、
前記受け金具１４を、壁面に固定された取付け金具Ｋに着設又は離脱することによって、
棚本体を壁面に着脱自在にするようにしたことを特徴とする。
（２）本考案の壁掛けモダン神棚は、上記（２）において、前記受け金具１４は、
壁に取り付けた取付け金具Ｋのフック状に形成した挿入部Ｋ１に挿入する矩形状に形成された受け入れ部１４ａと、受け入れ部１４ａの左右両側にあって、
背板１３に固定するための固定部１４ｂ,１４ｂとで構成され、
壁掛けモダン神棚１０を壁面に取付ける場合は、
壁面に取り付けた取付け金具Ｋのフック状の挿入部Ｋ１に、
背板１３に取付けた受け金具１４の受け入れ部１４ａを、上から挿入して、
受け金具１４と取付け金具Ｋとを一体化させることにより、
壁掛けモダン神棚１０を壁面に着設し、
壁掛けモダン神棚１０を壁面から離脱する場合は、
受け金具１４の受け入れ部１４ａを上方に持ち上げることにより、
壁面に取り付けた取付け金具Ｋの挿入部Ｋ１から抜くようにしたことを特徴とする。
（３）本考案の壁掛けモダン神棚は、上記（１）又は（２）において、
前記側板１１に複数の貫通孔１１ａが形成されていることを特徴とする。
【考案の効果】
【０００６】
本考案の壁掛けモダン神棚は、建坪・間取りに余裕がなく、また、神棚を、ふさわしい形態に祭祀すべき構造に作られていない近代的な様式の住宅であっても、簡単に、かつ、居住性に制約を生ぜしめない形態として神棚を設置できる。
また、背板上部に、壁面に固定された取付け金具Ｋに掛け止めするための受け金具１４を設けているので、壁面に簡易に着脱しやすい。
【図面の簡単な説明】
【０００７】
【図１】本考案の実施形態の壁掛けモダン神棚の全体を示す斜視図である。
【図２】壁掛けモダン神棚の上板を示す概略図であり、（ａ）は平面図、（ｂ）は正面図である。
【図３】壁掛けモダン神棚の裏面に取り付けられた受け金具の取付状態を示す概略図であり、（ａ）は斜視図、（ｂ）は受け金具１４の拡大斜視図である。
【図４】壁掛けモダン神棚の受け金具を着脱するため壁面に固定される取付金具Ｋの概略図であり、（ａ）は正面図、（ｂ）は側面図である。
【図５】壁掛けモダン神棚を、受け金具に取り付ける様子を示す概略側面図である。
【図６】壁掛けモダン神棚を、壁面に取り付けた状態を示す斜視図である。
【図７】壁掛けモダン神棚の側板１１の貫通孔１１ａに破魔矢を通した状態を示す斜視図である。
【図８】壁掛けモダン神棚の棚上に、お祀り時に必要な神具を載置した使用例を示す斜視図である。
【考案を実施するための形態】
【０００８】
＜壁掛けモダン神棚１０の全体説明＞
次に、本考案の壁掛けモダン神棚の実施形態を図面を用いて詳細に説明する。
図１の斜視図に示すように、本考案の壁掛けモダン神棚１０は、例えば、木板などの素材に構成され、左右の側板１１、１１と、前記側板１１の上部に掛け渡された上板１２と、
前記側板１１の背部に掛け渡された背板１３と、とを備えている。
また、前記側板１１には、左右の側板１１、１１を貫通して破魔矢Ｍを通すための貫通孔１１ａが形成されている。
【０００９】
さらに、前記上板１２の上面には、幅方向に凹溝１２ａが形成されており、
前記背板１３の後面には、壁面Ｗに固定された取付け金具Ｋに取り付けるための受け金具１４が設けられており、前記受け金具１４を、壁面Ｗに固定された取付け金具Ｋに着設又は離脱することによって、壁面Ｗに着脱自在に掛け止めできるように構成されている。
【００１０】
＜左右の側板１１＞
左右の側板１１、１１は、上板１２を平行に支持する支持部として構成され、三角形状の板を、正面視で、上板１２の左右に垂直に取り付けられている。
また、側板１１、１１には、図１に示すように、破魔矢Ｈを通して収納するための貫通孔１１ａ、１１ａが形成されている。
これにより、破魔矢Ｈを、２枚の側板１１を貫通するようにして棚１０の下部に収納しておくことができる。
なお、図１の側板１１には、貫通孔１１ａの下方にもう一つ小さな貫通孔が形成されているが、これは破魔矢の太さなどに応じていずれの貫通孔を選択することができるようにしたものである。
【００１１】
＜上板１２＞
上板１２は、棚の上に御札や花瓶などを載置するための載置台として構成され、薄厚で横長の長方形板が、前記側板１１の上部に掛け渡されている。
なお、上板１２の前端部や左右側端部は、面取りして丸みを帯びた形状とすることでデザイン的に好ましく構成できる。
また、図２に示すように、前記上板１２の上面には、幅方向に底付きの凹溝１２ａが形成されている。
凹溝１２ａのサイズは特定するものではないが、実施形態では、溝幅０．５ｃｍ、溝深さ１ｃｍの浅溝を、上板１２の（正面視で）左右方向に約２０ｃｍ形成している。
これにより、使用態様の図８に示すように、この凹溝１２ａに、御札Ｆの下端部を挿入して上端部を壁に寄り掛けておいても、御札Ｆが上板１２を滑って神棚１０から落下することなく、安定して御札Ｆを載置することができる。
【００１２】
＜背板１３＞
背板１３は、壁掛けモダン神棚１０の後方背部として構成され、横長の長方形板状を呈しており、前記側板１１の背部に垂直状態で掛け渡されて取り付けられている。
また、背板１３の裏面の左右には、受け金具１４が取り付けられており、部屋の壁面に固定した取付け金具Ｋに上から挿入して棚１０を取り付けられるようになっている。
【００１３】
この壁掛けモダン神棚１０のサイズは、この実施形態おいては、奥行（上板１２の前後幅）が約１０ｃｍ、左右（上板１２の左右幅）が約７０ｃｍ、高さ（側板１１の上下寸法と上板の厚みの合計）が約３０ｃｍとして構成してある。
【００１４】
＜受け金具１４＞
また、この受け金具１４は、図３、図４、図５に示しているように、壁に取り付けた取付け金具Ｋのフック状に形成した挿入部Ｋ１に挿入する矩形状に形成された受け入れ部１４ａと、受け入れ部１４ａの左右両側にあって、背板１３に固定するための固定部１４ｂ,１４ｂとで構成されている。
すなわち、図示するように、壁掛けモダン神棚１０を壁面に取付ける場合は、壁面に取り付けた取付け金具Ｋのフック状の挿入部Ｋ１に、背板１３に取付けた受け金具１４の受け入れ部１４ａを、上から挿入して、受け金具１４と取付け金具Ｋとを一体化させることにより、壁掛けモダン神棚１０を壁面に着設する（取り付ける）ことができる。
そして、壁掛けモダン神棚１０を壁面から離脱する（取り外す）場合は、受け金具１４の受け入れ部１４ａを上方に持ち上げることにより、壁面に取り付けた取付け金具Ｋの挿入部Ｋ１から抜く（離脱させる）ようにすればよい。
なお、受け金具１４の受け入れ部１４ａは、所定の垂直寸法（高さ方向の寸法）を有しているので、一旦掛止めすると外れにくく、棚１０を安定して壁面に取り付けておくことができ、地震などでも外れることがない。
【００１５】
以上説明したように、本考案による壁掛けモダン神棚１０は、部屋の壁面に簡易に取付け設置できる。
そして、掛止めした壁掛けモダン神棚１０は、御札を収蔵して前蓋１５を閉じた状態で奥行きが薄いので、その設置が居住性に殆んど制約を生ぜしめることがない。
【産業上の利用可能性】
【００１６】
本考案の壁掛けモダン神棚は、洋風住宅や、建坪や間取りに余裕がない住宅であっても、簡易に、かつ、居住性に制約を生ぜしめない形態として設置できる。
また、神棚の素材として、ウオールナットやメイプルなどの外国材を用いることで、シックでモダンな洋風インテリアとして使用することもでき、産業上の利用可能性が高い。
【符号の説明】
【００１７】
１０：壁掛けモダン神棚
１１：側板
１１ａ：貫通孔
１２：上板
１２ａ：凹溝
１３：背板
１４：受け金具
１４ａ：受け入れ部
１４ｂ：固定部
Ｆ：御札
Ｈ：破魔矢
Ｋ：取付け金具
【図１】
0003199800.tif 000003
【図２】
0003199800.tif 000004
【図３】
0003199800.tif 000005
【図４】
0003199800.tif 000006
【図５】
0003199800.tif 000007
【図６】
0003199800.tif 000008
【図７】
0003199800.tif 000009
【図８】
0003199800.tif 000010